(57)【要約】【課題】乗降客や荷物の衝突による情報表示媒体の損傷や盗難を回避することのできるホームドア装置用パネル及びホームドア装置を提供する。【解決手段】ホームドア装置用パネルは、透過部を有する第１板材２１と、第１板材２１と対向して配置される第２板材２２と、第１板材２１と第２板材２２との間に設けられる中間板２３とを備える。第１板材２１と第２板材２２と中間板２３との間に情報表示媒体３０を収容する収納空間２４を有する。【選択図】図５
2019059401.tif 000002
【特許請求の範囲】
【請求項１】
透過部を有する第１板状材と、
前記第１板状材と対向して配置される第２板状材と、
前記第１板状材と前記第２板状材との間に設けられる空間形成部と、を備え、
前記第１板状材と前記第２板状材と前記空間形成部との間に情報表示媒体を収容する収納空間を有する
ホームドア装置用パネル。
【請求項２】
前記第２板状材に固定される前記情報表示媒体を備える
請求項１に記載のホームドア装置用パネル。
【請求項３】
前記第２板状材に前記空間形成部を一体に設ける
請求項１又は２に記載のホームドア装置用パネル。
【請求項４】
前記空間形成部は、前記第１板状材の前記第２板状材と対向する面に接着される
請求項１又は２に記載のホームドア装置用パネル。
【請求項５】
前記空間形成部は、締結部材によって前記第２板状材に締結される
請求項１〜４のいずれか一項に記載のホームドア装置用パネル。
【請求項６】
前記第１板状材又は前記第１板状材に固定された前記空間形成部は、前記情報表示媒体が固定された前記第２板状材に対し、締結部材を介して締結されている
請求項１に記載のホームドア装置用パネル。
【請求項７】
前記第２板状材は、プラットホームに設置されるホームドア装置に取り付ける取付部材を備える
請求項１〜６のいずれか一項に記載のホームドア装置用パネル。
【請求項８】
前記取付部材は、前記ホームドア装置の戸袋部に対して揺動可能に取り付けられ、前記戸袋部のメンテナンス用開口を開閉する
請求項７に記載のホームドア装置用パネル。
【請求項９】
プラットホームに設置されるホームドア装置であって、
移動可能に設けられるドアと、
前記ドアを駆動する駆動装置と、
前記駆動装置を収納した戸袋部と、
請求項１〜８のいずれか一項に記載のホームドア装置用パネルと、を備え、
前記ホームドア装置用パネルは、前記戸袋部のメンテナンス用開口を開閉する
ホームドア装置。
【発明の詳細な説明】
【技術分野】
【０００１】
本発明は、ホームドア装置用パネル及びホームドア装置に関する。
【背景技術】
【０００２】
従来、プラットホームに設置されて、プラットホームと線路等の軌道とを区画するホームドア装置が知られている（例えば、特許文献１参照）。ホームドア装置は、プラットホームに固定された戸袋部にドアが往復移動可能に支持されている。戸袋部内には、ドアを開閉駆動するための駆動部や制御部が収納されている。
【０００３】
特許文献１に記載のホームドア装置では、戸袋部のホーム側の側面に情報を表示する表示装置が設けられている。
【先行技術文献】
【特許文献】
【０００４】
【特許文献１】特開２０１２−１１６３９１号公報
【発明の概要】
【発明が解決しようとする課題】
【０００５】
ところで、上記特許文献１に記載のホームドア装置では、戸袋部に取り付けられた表示装置は外部に露出している。こうしたホームドア装置は、乗降客や荷物の衝突による表示装置の損傷や、乗降客の表示装置等の情報表示媒体に対する盗難を回避することはできない。
【０００６】
本発明は、こうした実情に鑑みてなされたものであり、その目的は、乗降客や荷物の衝突による情報表示媒体の損傷や盗難を回避することのできるホームドア装置用パネル及びホームドア装置を提供することにある。
【課題を解決するための手段】
【０００７】
上記課題を解決するホームドア装置用パネルは、透過部を有する第１板状材と、前記第１板状材と対向して配置される第２板状材と、前記第１板状材と前記第２板状材との間に設けられる空間形成部と、を備え、前記第１板状材と前記第２板状材と前記空間形成部との間に情報表示媒体を収容する収納空間を有する。
【０００８】
上記構成によれば、ホームドア装置の外壁面となるホームドア装置用パネルの内部に外部から視認可能な収納空間を確保することができる。この収納空間は、内部に配置した表示装置等の情報表示媒体を視認可能にするとともに、乗降客や荷物の衝突による情報表示媒体の損傷や盗難を回避することができる。
【０００９】
上記ホームドア装置用パネルについて、前記第２板状材に固定される前記情報表示媒体を備えることが好ましい。
上記構成によれば、第１板状材が乗降客や荷物の衝突により破損した際に、第１板状材を第２板状材から外して交換すればよく、情報表示媒体を第２板状材から外さなくてもよい。
【００１０】
上記ホームドア装置用パネルについて、前記第２板状材に前記空間形成部を一体に設けることが好ましい。
上記構成によれば、空間形成部を別部材で構成した場合に比べて、構成部材の数を減らすことができる。
【００１１】
上記ホームドア装置用パネルについて、前記空間形成部は、前記第１板状材の前記第２板状材と対向する面に接着されることが好ましい。
上記構成によれば、ホームドア装置の外壁面となる第１板状材の表面に影響を与えることなく、空間形成部と第１板状材とを固定することができる。
【００１２】
上記ホームドア装置用パネルについて、前記空間形成部は、締結部材によって前記第２板状材に締結されることが好ましい。
上記構成によれば、空間形成部が接着された第１板状材と第２板状材とを固定するとともに、締結部材を外して第１板状材と第２板状材とを分離することができる。空間形成部が接着された第１板状材を交換する際には、締結部材を外すことで、第１板状材を空間形成部とともに交換することができる。
【００１３】
上記ホームドア装置用パネルについて、前記第１板状材又は前記第１板状材に固定された前記空間形成部は、前記情報表示媒体が固定された前記第２板状材に対し、締結部材を介して締結されていることが好ましい。
【００１４】
上記構成によれば、第１板状材が乗降客や荷物の衝突により破損した際に、締結部材を外すことにより第１板状材を第２板状材から情報表示媒体を取り外すことなく分離することができ、第１板状材を交換することができる。
【００１５】
上記ホームドア装置用パネルについて、前記第２板状材は、プラットホームに設置されるホームドア装置に取り付ける取付部材を備えることが好ましい。
上記構成によれば、取付部材によって第２板状材をホームドア装置に取り付けることができる。第２板状材をホームドア装置に取り付けた状態で、第１板状材を第２板状材から取り外して交換できる。同じ状態で、収納空間内の情報表示媒体を交換することができる。
【００１６】
上記ホームドア装置用パネルについて、前記取付部材は、前記ホームドア装置の戸袋部に対して揺動可能に取り付けられ、前記戸袋部のメンテナンス用開口を開閉することが好ましい。
【００１７】
上記構成によれば、ホームドア装置用パネルを戸袋部のメンテナンス用開口に対して揺動して開閉することができる。
上記課題を解決するホームドア装置は、プラットホームに設置されるホームドア装置であって、移動可能に設けられるドアと、前記ドアを駆動する駆動装置と、前記駆動装置を収納した戸袋部と、上記のホームドア装置用パネルと、を備え、前記ホームドア装置用パネルは、前記戸袋部のメンテナンス用開口を開閉する。
【００１８】
上記構成によれば、ホームドア装置の外壁面となるホームドア装置用パネルの内部に外部から視認可能な収納空間を確保することができる。この収納空間は、内部に配置した表示装置等の情報表示媒体を視認可能にするとともに、乗降客や荷物の衝突による情報表示媒体の損傷や盗難を回避することができる。
【発明の効果】
【００１９】
本発明によれば、乗降客や荷物の衝突による情報表示媒体の損傷や盗難を回避することができる。
【図面の簡単な説明】
【００２０】
【図１】ホームドア装置の一実施形態の構成を示す斜視図。
【図２】同実施形態のホームドア装置の構成を示す正面図。
【図３】同実施形態のホームドア装置用パネルを開いた状態を示す斜視図。
【図４】同実施形態のホームドア装置の構成を示す右側面図。
【図５】同実施形態のホームドア装置用パネルの構成を示す横断面図。
【図６】同実施形態のホームドア装置用パネルの構成を示す分解斜視図。
【図７】同実施形態のホームドア装置用パネルの組み立てを示す断面模式図。
【図８】同実施形態のホームドア装置用パネルの組み立てを示す模式図。
【図９】同実施形態のホームドア装置用パネルの組み立てを示す分解斜視図。
【図１０】ホームドア装置用パネルの変形例の構成を示す断面模式図。
【図１１】ホームドア装置用パネルの変形例の構成を示す断面模式図。
【図１２】ホームドア装置用パネルの変形例の構成を示す断面模式図。
【図１３】（ａ）〜（ｄ）は、ホームドア装置用パネルの第２板材に対する空間形成部の配置の変形例を示す模式図。
【図１４】（ａ）（ｂ）は、ホームドア装置用パネルの第２板材の変形例を示す模式図。
【図１５】ホームドア装置用パネルの変形例を示す模式図。
【図１６】ホームドア装置用パネルの変形例を示す模式図。
【図１７】（ａ）（ｂ）は、ホームドア装置用パネルの第２板材の変形例を示す模式図。
【図１８】ホームドア装置用パネルの変形例の組み立てを示す分解斜視図。
【図１９】ホームドア装置の変形例を示す右側面図。
【図２０】ホームドア装置の変形例を示す正面図。
【図２１】ホームドア装置の変形例を示す正面図。
【図２２】ホームドア装置の変形例を示す平面図。
【図２３】ホームドア装置の変形例を示す平面図。
【図２４】ホームドア装置の変形例を示す正面図。
【図２５】ホームドア装置の変形例を示す平面図。
【図２６】ホームドア装置用パネルの変形例を示す横断面図。
【発明を実施するための形態】
【００２１】
以下、図１〜図８を参照して、ホームドア装置用パネルを備えるホームドア装置の一実施形態について説明する。このホームドア装置は、鉄道等のプラットホームに設置される。
【００２２】
＜ホームドア装置１０＞
図１〜図４に示すように、ホームドア装置１０は、略矩形状のケース１２を有する戸袋部１１を備えている。戸袋部１１は、プラットホーム１に固定されている。戸袋部１１は、戸袋部１１から図中左側へ進出する第１ドア１５を移動可能に支持しているとともに、第１ドア１５を駆動する第１駆動装置が収納されている。また、戸袋部１１は、戸袋部１１から図中右側へ進出する第２ドア１６を移動可能に支持しているとともに、第２ドア１６を駆動する第２駆動装置が収納されている。第１ドア１５及び第２ドア１６は、一枚の引戸となっており、戸袋部１１内において前後に引違い構造となっている。
【００２３】
ホームドア装置１０は、プラットホーム１の軌道２側の縁部に沿って設置される。ホームドア装置１０は、プラットホーム１を軌道２側とプラットホーム１側とに区画する。なお、図示しないが、ホームドア装置１０は、間隔をおいて複数設置され、隣同士のホームドア装置１０の第１ドア１５と第２ドア１６とによって乗降通路が開閉される。
【００２４】
＜ホームドア装置用パネル２０＞
図３に示すように、ホームドア装置１０は、戸袋部１１のプラットホーム１側の壁面にホームドア装置用パネル２０を備えている。戸袋部１１のケース１２のプラットホーム１側の面には、戸袋部１１内の駆動機器を保守整備するためのメンテナンス用開口１３が全面に亘って設けられている。ホームドア装置用パネル２０は、戸袋部１１に対して揺動可能に取り付けられ、戸袋部１１のメンテナンス用開口１３を開閉する。なお、メンテナンス用開口１３は、戸袋部１１のケース１２の全面でなく、一部であってもよい。また、メンテナンス用開口１３を複数のホームドア装置用パネル２０により開閉してもよい。
【００２５】
図５及び図６に示すように、ホームドア装置用パネル２０は、透過部２１Ａを有する第１板材２１と、第１板材２１と対向して配置される第２板材２２と、第１板材２１と第２板材２２との間に設けられる中間板２３とを備えている。
【００２６】
第１板材２１は、ケース１２のメンテナンス用開口１３の大きさとほぼ同じ大きさの板状材である。第１板材２１が第１板状材に相当する。第１板材２１は、第１板材２１を介してホームドア装置用パネル２０の内部を外部から視認可能な例えばガラス製のガラス板や透明樹脂製の樹脂板等である。第１板材２１の一部が透過部２１Ａとなっている。透過部２１Ａは、透明であり、外部から内部を視認することができる部分である。透過部２１Ａは、第１板材２１の上方寄りに位置している。第１板材２１の透過部２１Ａ以外の部分は、内側又は外側の面に塗装が施されている。なお、第１板材２１の全部が透過部２１Ａであってもよい。第１板材２１は、透過部２１Ａをガラスや透明樹脂で形成し、透過部２１Ａ以外の部分を不透明な他の部材で形成することもできる。透過部２１Ａの大きさや位置は、ホームドア装置用パネル２０の内部に設置されて透過部２１Ａを介して視認可能とされる情報表示媒体３０の大きさや位置に合わせて設計することができる。ここで、透明とは、無色透明、有色透明、半透明を含む。また、第１板材２１は、偏光させることができる部材であってもよく、外部から内部を視認することができる方向や範囲を指定してもよい。また、第１板材２１は、透明と不透明とを切り替えることができる調光ガラスや調光フィルムを用いてもよい。第１板材２１の表面は、平面だけに限らず曲面でもよい。
【００２７】
第２板材２２もケース１２のメンテナンス用開口１３の大きさとほぼ同じ大きさの板状材である。第２板材２２が第２板状材に相当する。第２板材２２の縁部２２Ａは、第１板材２１側へ折り曲げられている。第２板材２２は、鋼板やアルミニウム板等の金属板である。縁部２２Ａの折り曲げによって、第２板材２２は、変形を抑えながら厚みを薄くでき、軽量化を図ることができる。第２板材２２は、第１板材２１及び中間板２３とともに収納空間２４を形成する。第２板材２２の表面は、平面だけに限らず曲面でもよい。
【００２８】
中間板２３は、第１板材２１の各辺に対応して設けられ、４本の棒状の板材である。中間板２３と第１板材２１とは、接着材２５によって接着されている。この接着は、第１板材２１と中間板２３との位置ずれに起因するホームドア装置用パネル２０の変形を抑えることができる。中間板２３は、ねじ２８によって第２板材２２に締結されている。ねじ２８は、第２板材２２の外側から中間板２３に螺着している。中間板２３は、空間形成部に相当する。ねじ２８は、締結部材に相当する。なお、中間板２３は、第１板材２１の各辺に対応する部分がそれぞれ接続された枠状の板材でもよい。
【００２９】
中間板２３は、まず、接着材２５によって第１板材２１に接着された後、ねじ２８によって第２板材２２に固定されることで、第１板材２１が第２板材２２に固定される。
ホームドア装置用パネル２０は、第１板材２１と第２板材２２と中間板２３との間に情報表示媒体３０を収容する収納空間２４を有する。ホームドア装置用パネル２０は、情報表示媒体３０を備える。情報表示媒体３０は、表示装置３１である。表示装置３１は、液晶ディスプレイ、プラズマディスプレイ、有機ＥＬディスプレイ、電子ペーパーなどを用いることができる。この表示装置３１に表示される情報は、ドア１５，１６の状態に応じて切り替わる情報であってもよく、ドア１５，１６の開閉状態によらず切り替わる情報であってもよい。この情報は、鉄道運行に関する文字、画像や映像、広告や注意喚起のための文字、画像や映像である。表示装置３１は、プラットホーム１側に向いている場合、プラットホーム１の乗降客に向けた情報を表示する。表示装置３１は、軌道２側に向いている場合、軌道２上の車両内の乗降客に向けた情報を表示する。
【００３０】
表示装置３１は、ねじ２８によって第２板材２２に固定されている。ねじ２８は、収納空間２４側から第２板材２２に螺着している。すなわち、表示装置３１は、第２板材２２に固定された上で、ホームドア装置用パネル２０が組み立てられる。なお、ねじ２８を第２板材２２から挿入して表示装置３１に螺着してもよい。
【００３１】
ホームドア装置用パネル２０は、収納空間２４を囲むようにシール材２６が設置されている。シール材２６は弾性を有する樹脂等である。シール材２６は、第１板材２１と第２板材２２とに密着することで収納空間２４を密閉している。よって、収納空間２４の内部に水等の液体が外部から浸入することを抑制することができる。
【００３２】
ホームドア装置用パネル２０は、第１板材２１の側面２１Ｂと第２板材２２の縁部２２Ａとを覆う化粧カバー２７を備えている。化粧カバー２７は、断面コ字状の棒状部材であって、第２板材２２の辺毎に設けられている。図５において、ホームドア装置用パネル２０の左端部の化粧カバー２７は、第２板材２２の縁部２２Ａに底面が当接し、ねじ２８とナット２９とによって第２板材２２と締結されている。ねじ２８は、化粧カバー２７の外側から化粧カバー２７と第２板材２２とに挿入され、ナット２９に螺着している。ホームドア装置用パネル２０の右端部では、第２板材２２の縁部２２Ａは、第１板材２１側に折り曲げられた上で、断面コ字状に折り曲げられている。そして、ホームドア装置用パネル２０の右端部の化粧カバー２７Ａは、第２板材２２の縁部２２Ａに沿って断面Ｌ字状に形成され、ねじ２８とナット２９とによって第２板材２２と締結されている。なお、化粧カバー２７は、不透明の金属材料から形成し、中間板２３、接着材２５、及びシール材２６を覆うように設けることで、第１板材２１の全てが透過部であっても、これら中間板２３、接着材２５、及びシール材２６を外部から見えなくすることができる。
【００３３】
図３及び図５に示すように、第２板材２２は、ホームドア装置１０の戸袋部１１に取り付ける取付部材４０を備えている。取付部材４０は、ホームドア装置１０の戸袋部１１に対して揺動可能に取り付けられる。取付部材４０は、第２板材２２の右端の上下それぞれに設けられた回転軸４１である。各回転軸４１は、鉛直方向に延出する。戸袋部１１は、これら回転軸４１を回転可能に支持する穴部を備える。ホームドア装置用パネル２０は、回転軸４１を中心にプラットホーム１側へ揺動することでメンテナンス用開口１３を開閉する。なお、第２板材２２と戸袋部１１とを蝶番を介して連結することもできる。この場合、その蝶番のうち第２板材２２側に固定された部位が取付部材４０に相当する。また、取付部材４０は、第２板材２２の他、ホームドア装置用パネル２０を構成する部材のいずれかに設けてもよい。
【００３４】
ホームドア装置用パネル２０のプラットホーム１側の表面２０Ａと反対側の背面２０Ｂには、表示装置３１を制御する表示制御部を収容した筐体３５が固定されている。表示制御部は、表示装置３１に情報を表示させる。表示制御部は、表示装置３１に表示される文字、画像や映像のデータを保存又は外部から受信し、当該データを用いて表示装置３１に表示させるための機能を備えている。筐体３５は、鉛直方向が長手方向である直方体である。筐体３５は、第２板材２２に取り付けられ、第２板材２２の鉛直方向に延びる二つの端部のうち、取付部材４０側の端部寄りに設けられている。言い換えると、鉛直方向に延びるホームドア装置用パネル２０の２つの端部のうち、ホームドア装置用パネル２０を開いた状態において、メンテナンス用開口１３に近い側の端部を基端部３４Ａとし、メンテナンス用開口１３から遠い側の端部を先端部３４Ｂとするとき、筐体３５は、ホームドア装置用パネル２０の基端部３４Ａ寄りに設けられている。
【００３５】
＜組み立て＞
次に、図７〜図９を参照して、ホームドア装置用パネル２０の組み立てについて説明する。なお、図７及び図８は、ホームドア装置用パネル２０の構成を模式的に示した図である。
【００３６】
まず、図７に示すように、第１板材２１に対して中間板２３を接着材２５によって接着する。これにより、中間板２３及び接着材２５の高さ分が第１板材２１と第２板材２２との隙間となる。なお、表示装置３１の厚みは、この隙間よりも短く設定されている。なお、表示装置３１の厚みと隙間とを同じにしてもよい。
【００３７】
次に、第１板材２１に対して中間板２３の内側の位置に、シール材２６を設置する。シール材２６の高さは、第１板材２１と第２板材２２とに密着する必要があるため、中間板２３及び接着材２５の高さよりも若干長く設定されている。
【００３８】
次に、第２板材２２に対して表示装置３１をねじ２８によって締結する。ねじ２８は、収納空間２４側から第２板材２２に螺着する。
続いて、中間板２３が固定されるとともにシール材２６が設置された第１板材２１に対して、表示装置３１が固定された第２板材２２を組み付け（図８参照）、ねじ２８を第２板材２２の外側から中間板２３に螺着する。これにより第１板材２１と第２板材２２とが固定される。このとき、第２板材２２は、中間板２３に接触する。シール材２６は、第１板材２１と第２板材２２とによって押し潰されて、第１板材２１と第２板材２２とに密着する。そして、第１板材２１と第２板材２２と中間板２３との間に収納空間２４が形成される。第２板材２２の縁部２２Ａは、第１板材２１の側面２１Ｂまで覆う。
【００３９】
次に、組み付けられた第１板材２１及び第２板材２２の４辺に対して、化粧カバー２７を取り付ける。化粧カバー２７を取り付けることで、第１板材２１と第２板材２２との間を覆うことで粉塵や水の浸入を抑えるとともに、第１板材２１と第２板材２２とがさらに固定される。さらに、ねじ２８を化粧カバー２７の外側から化粧カバー２７と第２板材２２とに挿入して、ナット２９を螺着することで、化粧カバー２７と第２板材２２とが固定される。
【００４０】
次に、図９に示すように、ホームドア装置用パネル２０の背面２０Ｂに対して、表示制御部３５Ａが収容された筐体３５を取り付ける。ホームドア装置用パネル２０の第２板材２２には、貫通孔２２Ｈが設けられている。貫通孔２２Ｈは、第２板材２２において筐体３５が取り付けられる位置に設けられている。貫通孔２２Ｈには、表示制御部３５Ａと表示装置３１とを電気的に接続する信号線が通される。また、表示制御部３５Ａは、表示する情報等を指示する外部の中央制御部等と無線又は有線で接続されている。
【００４１】
＜作用＞
次に、上記のように構成されたホームドア装置用パネル２０の作用について説明する。
図５に示すように、情報表示媒体３０は、ホームドア装置用パネル２０に形成された収納空間２４に収容されている。そして、情報表示媒体３０は、第１板材２１の透過部２１Ａを介して外部から視認可能である。このため、ホームドア装置用パネル２０は、車両の乗降客による情報表示媒体３０の視認を可能にするとともに、車両の乗降客や荷物がホームドア装置用パネル２０に衝突したとしても、第１板材２１に衝突することになり、情報表示媒体３０が損傷することを回避することができる。また、情報表示媒体３０は、ホームドア装置用パネル２０の収納空間２４に収納されているため、容易に取り外すことができず、情報表示媒体３０の盗難を回避することができる。
【００４２】
また、第１板材２１に対する乗降客や荷物等の衝突によって、第１板材２１が損傷した場合には、中間板２３に螺着しているねじ２８を外して、第１板材２１と中間板２３とを新しいものに交換するだけで、情報表示媒体３０を外すことなく、ホームドア装置用パネル２０を修理することができる。
【００４３】
以上説明したように、本実施形態によれば、以下の効果を奏することができる。
（１）ホームドア装置１０の外壁面となるホームドア装置用パネル２０の内部に外部から視認可能な収納空間２４を確保することができる。この収納空間２４は、内部に配置した情報表示媒体３０を視認可能にするとともに、乗降客や荷物の衝突による情報表示媒体３０の損傷や盗難を回避することができる。
【００４４】
（２）第１板材２１が破損した際に第１板材２１と中間板２３とを外して交換すればよく、情報表示媒体３０を外さなくてもよい。
（３）第１板材２１の第２板材２２と対向する面に中間板２３が接着されるため、ホームドア装置１０の外壁面となる第１板材２１の表面に影響を与えることなく、中間板２３と第１板材２１とを固定することができる。
【００４５】
（４）ねじ２８により中間板２３が接着された第１板材２１と第２板材２２とを固定するとともに、ねじ２８を外して第１板材２１と第２板材２２とを分離することができる。また、中間板２３が接着された第１板材２１を交換する際には、中間板２３に螺着したねじ２８を外すことで、第１板材２１を中間板２３とともに交換することができる。
【００４６】
（５）第１板材２１が乗降客や荷物の衝突により破損した際に、ねじ２８を外すことにより第１板材２１を第２板材２２から情報表示媒体３０を取り外すことなく分離することができ、第１板材２１を交換することができる。
【００４７】
（６）取付部材４０によって第２板材２２をホームドア装置１０に取り付けることができる。第２板材２２をホームドア装置１０に取り付けた状態で、第１板材２１を第２板材２２から取り外して交換することができる。同じ状態で収納空間２４の情報表示媒体３０を交換することができる。
【００４８】
（７）ホームドア装置用パネル２０を戸袋部１１のメンテナンス用開口１３に対して揺動して開閉することができる。
なお、上記実施形態は、これを適宜変更した以下の形態にて実施することもできる。
【００４９】
・上記実施形態では、中間板２３を接着材２５によって第１板材２１に接着するとともに、第１板材２１と第２板材２２との間にシール材２６を設置した。しかしながら、図１０に示すように、中間板２３に代えて、収納空間２４を形成する厚みを有し、弾性を有する中間部材５０を採用すれば、接着材２５及びシール材２６を省略することができる。この場合、化粧カバー２７により第１板材２１と第２板材２２とを固定する。化粧カバー２７を外せば、第１板材２１と第２板材２２とを分離できる。第１板材２１が乗降客等の衝突により破損した際には、化粧カバー２７を外した後、第１板材２１を第２板材２２から外して交換すればよい。中間部材５０は、上記実施形態の中間板２３のように第１板材２１に接着されていないため、第１板材２１の交換に合わせて交換する必要がない。
【００５０】
・上記実施形態では、第１板材２１及び第１板材２１に固定された中間板２３を第２板材２２に対しねじ２８を介して締結したが、第１板材２１と中間板２３のいずれか一方を第２板材２２に対しねじ２８を介して締結してもよい。
【００５１】
・上記実施形態では、締結部材としてねじ２８を採用したが、ねじに限らず、締結部材としてフックやリベット、クランプ等を採用してもよい。また、締結部材としてゴムバンド等の弾性変形して固定することができる部材を採用してもよい。
【００５２】
・上記実施形態では、第２板材２２と空間形成部としての中間板２３とを別体としたが、第２板材２２に空間形成部を一体に設けてもよい。例えば、図１１に示すように、第２板材２２の第１板材２１側に突出して厚みを持った空間形成部２２Ｂを設けることで、第２板材２２の一部が空間形成部として機能する。また、図１２に示すように、第２板材２２に第１板材２１側に突出した突条の空間形成部２２Ｃを設けることで、第２板材２２の一部が空間形成部として機能する。
【００５３】
・上記実施形態では、空間形成部として機能する中間板２３を第１板材２１の各辺に対応して４個設けたが、第１板材２１と第２板材２２との間に空間を形成することができれば、空間形成部を他の態様で設けてもよい。例えば、図１３（ａ）に示すように、第２板材２２の鉛直方向に延出する辺のみに対応した空間形成部２３Ａを設けてもよい。また、図１３（ｂ）に示すように、第２板材２２の水平方向に延出する辺のみに対応した空間形成部２３Ｂを設けてもよい。また、図１３（ｃ）に示すように、第２板材２２の各角及び各辺の中央に対応した空間形成部２３Ｃを設けてもよい。また、図１３（ｄ）に示すように、第２板材２２の水平方向に延出する辺のみに対応した空間形成部２３Ｂと、第２板材２２の鉛直方向に延出する各辺の中央に対応した空間形成部２３Ｄとを設けてもよい。なお、空間形成部２３Ａ，２３Ｂ，２３Ｃ，２３Ｄは、第２板材２２に対応させても第１板材２１に対応させてもどちらでもよい。
【００５４】
・上記構成において、第２板材２２に孔を設けて、軽量化してもよい。例えば、図１４（ａ）に示すように、第２板材２２の中央付近に四角形の孔２２Ｄを形成してもよい。また、図１４（ｂ）に示すように、第２板材２２の中央付近に円形の孔２２Ｅを形成してもよい。
【００５５】
・上記構成において、第２板材２２の一部を省略して、軽量化してもよい。例えば、図１５に示すように、第２板材５１は、鉛直方向の中央部分を省略している。中間形成部２３Ｅも第２板材５１の長さに合わせて同様に省略されている。一部が省略された第２板材５１は、第１板材２１に組み付けられることによって形状が規定される。
【００５６】
・上記実施形態では、第２板材２２の縁部２２Ａを折り曲げたが、図１６に示すように、第２板材２２の折り曲げられた縁部２２Ａを省略してもよい。
・上記実施形態では、第２板材２２の４辺の縁部２２Ａを折り曲げたが、図１７（ａ）に示すように、第２板材２２の水平方向に延出する辺の縁部２２Ａのみ折り曲げてもよい。また、図１７（ｂ）に示すように、第２板材２２の垂直方向に延出する辺の縁部２２Ａのみ折り曲げてもよい。
【００５７】
・上記実施形態では、ホームドア装置用パネル２０の背面２０Ｂを構成する第２板材２２に筐体３５を取り付けたが、筐体３５をホームドア装置用パネル２０に嵌め込んでもよい。例えば、図１８に示すように、第２板材２２に筐体３５が貫通する大きさの収容孔２２Ｋを形成し、筐体３５に収容される表示制御部３５Ａを表示装置３１に直接取り付ける。この場合、第２板材２２と筐体３５との間はシール材によって密閉することが望ましい。また、表示制御部３５Ａを筐体３５に固定して、筐体３５を表示装置３１又は第２板材２２に固定してもよい。
【００５８】
・上記実施形態では、ホームドア装置用パネル２０が回転軸４１を中心に回転してメンテナンス用開口１３を開閉するようにしたが、他の位置に回転軸を設けてホームドア装置用パネル２０を回転させてメンテナンス用開口１３を開閉するようにしてもよい。例えば、図１９に示すように、ドア１５，１６の移動方向に延出する回転軸４２を、ホームドア装置用パネル２０の上端部に備えている。この回転軸４２は、戸袋部１１の上端部に固定されている。よって、ホームドア装置用パネル２０は、回転軸４２を中心に戸袋部１１に対して回転する。また、ホームドア装置用パネル２０は、ホームドア装置用パネル２０と戸袋部１１とに接続されるダンパー４３を備えている。ダンパー４３は、ホームドア装置用パネル２０を戸袋部１１のメンテナンス用開口１３から開いた状態に維持することができる。
【００５９】
・また、図２０に示す例では、ホームドア装置用パネル２０は戸袋部１１に対して鉛直方向に移動可能な図示しないスライド機構を備える。ホームドア装置用パネル２０は、戸袋部１１のメンテナンス用開口１３を覆う位置と覆わない位置との間で移動して、メンテナンス用開口１３を開閉する。
【００６０】
・また、図２１に示す例では、ホームドア装置用パネル２０は戸袋部１１の左上の角に回転軸４４が設けられている。回転軸４４は、戸袋部１１の正面に対して垂直に設けられている。よって、ホームドア装置用パネル２０は、戸袋部１１のメンテナンス用開口１３上を回転することでメンテナンス用開口１３を開閉する。
【００６１】
・また、図２２に示す例では、ホームドア装置用パネル２０は２分割されて、左側のパネルの左端の上下それぞれに回転軸４５Ａが設けられ、右側のパネルの右端の上下それぞれに回転軸４５Ｂが設けられている。右側のパネルは回転軸４５Ａを中心に回転し左側のパネルは回転軸４５Ｂを中心に回転して、メンテナンス用開口１３を開閉する。
【００６２】
・また、図２３に示す例では、ホームドア装置用パネル２０が折り畳み機構４６を備え、この折り畳まれたそれぞれのパネルに表示装置を設けてもよい。ホームドア装置用パネル２０を折り畳むことでメンテナンス用開口１３を開閉する。
【００６３】
・また、ホームドア装置用パネル２０は、メンテナンス用開口１３を開くときには、ケース１２から取り外すようにしてもよい。
・上記実施形態では、戸袋部１１のメンテナンス用開口１３を開閉する蓋としてホームドア装置用パネル２０を採用した。しかしながら、他のホームドア装置にホームドア装置用パネル２０を採用してもよい。例えば、図２４に示すように、ドア１５，１６を駆動する駆動装置が収納された一対のガイドボックス１８，１９を備えるホームドア装置１０において、一対のガイドボックス１８，１９の間に設けられるパネルとしてホームドア装置用パネル２０を採用してもよい。また、ガイドボックス１８，１９の表面にもホームドア装置用パネル２０を採用してもよい。
【００６４】
・また、図２５に示すように、ホームドア装置用パネル２０を非常時に開口可能とする非常扉６０としてもよい。非常扉６０は、一方のガイドボックス１９に対して回動可能に取り付けられる。
【００６５】
・上記実施形態では、液晶ディスプレイ、プラズマディスプレイ、有機ＥＬディスプレイ、電子ペーパー等の表示装置３１を収納空間２４に収容した。しかしながら、図２６に示すように、表示装置３１に代えて紙のポスター等の紙媒体３２を収納空間２４に収容してもよい。
【００６６】
・上記実施形態では、ホームドア装置用パネル２０をホームドア装置１０のプラットホーム１側に設けたが、ホームドア装置用パネル２０をホームドア装置１０の軌道２側に設けてもよい。なお、ホームドア装置用パネル２０は、ホームドア装置１０のプラットホーム１側と軌道２側との両方に設けてもよいし、ホームドア装置１０の軌道２側のみに設けてもよい。
【００６７】
・上記実施形態では、各ドアを一枚の引き違い引戸のホームドア装置１０としたが、各ドアを二重引き違い引戸や三重以上の引き違い引戸のホームドア装置としてもよい。
・上記実施形態では、各ドアを異なるレール上を移動する引き違い引戸のホームドア装置１０としたが、各ドアを同じレール上を移動する引戸のホームドア装置としてもよい。
【００６８】
・上記実施形態では、ドアを２個備えたホームドア装置１０としたが、ドアを１個のみ備えたホームドア装置としてもよい。
【符号の説明】
【００６９】
１…プラットホーム、２…軌道、１０…ホームドア装置、１１…戸袋部、１２…ケース、１３…メンテナンス用開口、１５…第１ドア、１６…第２ドア、２０…ホームドア装置用パネル、２０Ａ…表面、２０Ｂ…背面、２１…第１板材、２１Ａ…透過部、２１Ｂ…側面、２２…第２板材、２２Ａ…縁部、２２Ｂ…空間形成部、２２Ｃ…空間形成部、２２Ｄ…孔、２２Ｅ…孔、２２Ｈ…貫通孔、２２Ｋ…収容孔、２３…空間形成部としての中間板、２３Ａ…空間形成部、２３Ｂ…空間形成部、２３Ｃ…空間形成部、２３Ｄ…空間形成部、２３Ｅ…空間形成部、２４…収納空間、２５…接着材、２６…シール材、２７，２７Ａ…化粧カバー、２８…ねじ、２９…ナット、３０…情報表示媒体、３１…表示装置、３２…紙媒体、３５…筐体、３５Ａ…表示制御部、４０…取付部材、４１…回転軸、５０…中間部材。
【図１】
2019059401.tif 000003
【図２】
2019059401.tif 000004
【図３】
2019059401.tif 000005
【図４】
2019059401.tif 000006
【図５】
2019059401.tif 000007
【図６】
2019059401.tif 000008
【図７】
2019059401.tif 000009
【図８】
2019059401.tif 000010
【図９】
2019059401.tif 000011
【図１０】
2019059401.tif 000012
【図１１】
2019059401.tif 000013
【図１２】
2019059401.tif 000014
【図１３】
2019059401.tif 000015
【図１４】
2019059401.tif 000016
【図１５】
2019059401.tif 000017
【図１６】
2019059401.tif 000018
【図１７】
2019059401.tif 000019
【図１８】
2019059401.tif 000020
【図１９】
2019059401.tif 000021
【図２０】
2019059401.tif 000022
【図２１】
2019059401.tif 000023
【図２２】
2019059401.tif 000024
【図２３】
2019059401.tif 000025
【図２４】
2019059401.tif 000026
【図２５】
2019059401.tif 000027
【図２６】
2019059401.tif 000028